(57)【要約】      （修正有）【解決手段】複数の警報入力に応じて各々独立して警報出力する出力手段と、警報継続時間を設定する警報鳴動継続時間設定手段と、警報出力のブザ−及び状態表示をフリッカ動作させるフリッカ手段と、１回路毎にブザ−と状態表示とを切替える切替手段と、警報入力によりブザ−及び状態表示中に、別の新たな警報が入力されてきたときに、別の新たなブザ−及び状態表示よりなる警報を一括して出力する一括警報出力手段とを備えてなる警報装置ユニット及びそれを備えた警報装置。【効果】長時間に渡って鳴動して近隣に迷惑を掛けることなく、複数の警報入力に応じて各々独立して警報出力し、ブザ−及び状態表示をフリッカ動作し、警報出力中に別の新たな警報が入力されてきても最初の警報を保持しつつ別の新たな当該ブザ−及び状態表示よりなる警報をも一括して出力可能で、１回路毎にブザ−と状態表示とを切替えることができる。【選択図】図１
2010267125.tif 000002
【特許請求の範囲】
【請求項１】
第一警報、第二警報等複数の警報入力手段と、当該個々の第一警報、第二警報等複数の警報入力に応じて各々独立して警報出力する出力手段と、当該警報の出力に際して警報を鳴動させる継続時間を設定可能な警報鳴動継続時間設定手段と、前記警報出力のブザ−及び状態表示をフリッカ動作させることのできるフリッカ手段と、前記複数の警報入力に応じて各々独立して警報出力する１回路毎に当該ブザ−と状態表示とを切替えることのできる切替手段と、警報入力により前記ブザ−及び状態表示により警報出力している際中に、別の新たな警報が入力されてきたときに、当該別の新たな当該ブザ−及び状態表示よりなる警報をも一括して出力可能とする一括警報出力手段とを備えてなることを特徴とする警報装置ユニット。
【請求項２】
警報鳴動継続時間設定手段が、ディップスイッチの操作により行われるようになっていることを特徴とする、請求項１に記載された警報装置ユニット。
【請求項３】
警報出力する１回路毎にブザ−と状態表示とを切替えることのできる切替手段が、ディップスイッチの操作により行われるようになっていることを特徴とする、請求項１又は２に記載された警報装置ユニット。
【請求項４】
請求項１に記載された警報装置ユニットと、当該警報装置ユニットの警報装置への取付け手段であるレ−ル部と、当該警報装置ユニットを作動させるバッテリ−ユニットと、状態表示部と、ブザ−部と、操作スイッチ部とを備えてなり、当該警報装置ユニットは前記レ−ル部に取付けできるように取付部を有してなることを特徴とする警報装置。
【請求項５】
警報装置ユニットは、保護カバ−を備えてなることを特徴とする、請求項４に記載された警報装置。
【発明の詳細な説明】
【技術分野】
【０００１】
本発明は、警報装置ユニット及びそれを用いた警報装置に関するものである。
【背景技術】
【０００２】
複数の警報入力に応じて警報報知を行う警報装置は、各種の用途に用いられ、例えば、プラント制御・監視の分野で、複数の故障が発生した場合に、警報を発すると共に、異常状態を表示して故障警報を行うような場合や、貯水漕に蓄えられた水量などを液面センサなどのセンサ（感知器なども含む）を用いて検知し、水の貯水状態などの複数の何等かの異常が発生した場合に、警報を発すると共に、異常状態を表示したりする場合や、ショ−ケ−スの温度等の複数の監視項目を監視する場合等で使用される。
【０００３】
当該警報（ブザ−）の鳴動により上記のような故障などの存在を知り得るのであるが、長時間に渡って鳴動しても、無駄で近隣に迷惑を掛けたりするし、逆に短か過ぎても、故障が発生しているのに、故障を見逃してしまったりする等で、当該警報ブザ−の出力に際して警報ブザ−を鳴動させる継続時間を設定可能としておくことが好ましい。
【０００４】
当該複数の警報入力に応じて警報報知を行う警報装置にあっては、従来有接点のアナンシェ−タリレ−を用いた警報装置がある。
図１３はアナンシェ−タリレ−を用いた従来の故障警報・表示回路の構成図で、図１４は図１３の動作説明用のタイムチャ−トである。
図１３において、１〜Ｎは夫々一括故障としての故障入力信号（単に故障又は故障入力ともいう）、又、１３１（１３１−１〜１３１−ｎ）は一括故障１３１に属する下位の複数の故障入力信号である。例えば一括故障をボンプ故障とした場合、このポンプの軸受温度異常信号や巻線温度異常信号などがその下位の故障入力信号となる。又、図１３において、ＡＲ（ＡＲ１〜ＡＲＮ）は夫々一括故障１３１…Ｎの別の設けられたアナンシェ−タリレ−、ＬＰ（ＬＰ１〜ＬＰＮ）は夫々このアナンシェ−タリレ−ＡＲ１〜ＡＲＮごとに設けられた一括故障の表示灯、ＢＺはリレ−ＡＲ１〜ＡＲＮに共通に設けられた警報用のブザ−、ＦＬは同じくリレ−ＡＲ１〜ＡＲＮに共通に設けられた表示灯ＬＰの点滅用のフリッカリレ−、ＬＯは異常監視員等が操作するスイッチとしての表示復帰釦、ＢＳは同じく警報停止釦、ＬＴは同じくランプテスト釦である。尚、ＰＣはリレ−用直流電源の正極ライン、ＮＣは同じく負極ライン、ＰＬはランプ用直流電源の正極ライン、ＮＬは同じく負極ラインである。
次に、図１４を参照しつつ、図１３の動作をアナンシェ−タリレ−ＡＲ１の回路を例にとって説明する。アナンシェ−タリレ−ＡＲ１内のリレ−Ｙは常時（即ち、故障入力がなくリレ−Ｘの消勢，待機状態）には付勢されており、そのａ接点はオン状態にあり、ｃ接点はａ側にある。ここで故障入力信号１−１〜１−ｎの何れかが入力（接点オン）すると、故障入力信号の保持用のリレ−Ｘが付勢され、そのａ接点Ｘａがオンしてリレ−Ｘは自己保持状態となり、又、リレ−Ｘの、２つのｃ接点はａ側となる。尚、このときリレ−Ｙはそのａ接点により自己保持したままの状態にある。これによりアナンシェ−タリレ−ＡＲ１の７番端子には、警報停止釦ＢＳの接点を介してリレ−用電源ＰＣが印加され、ブザ−ＢＺが警報を発生し、フリッカリレ−ＦＬはその接点ＦＬａを所定周期で断続する。一方、このとき表示灯ＬＰ１はこの接点ＦＬａとリレ−Ｘ，Ｙの夫々のｃ接点を介してランプ用電源ＰＬと接続される構成となるため接点ＦＬａのオン／オフに合わせて点滅（フリッカ）し警報表示する。
次に監視員が警報停止釦ＢＳを押すと、リレ−Ｙは消勢され、７番端子のリレ−用電源ＰＣをオフすることで、ブザ−ＢＺ及びフリッカリレ−ＦＬをオフする。しかしこのとき表示灯ＬＰ１はランプ用電源ＰＬからフリッカリレ−接点ＦＬａを介することなく点灯される接続構成となり、連続点灯状態になる。次に監視員が表示復帰釦ＬＯを押すと、このとき故障入力１３１−１〜１３１−ｎが何れも存在しない（オフ）ならば、リレ−Ｘは消勢され、表示灯ＬＰ１で消灯すると共に、リレ−Ｙが付勢され待機状態に戻る。
しかしながら、図１３の故障警報・表示回路においては、例えば一括故障信号１３１の下位の故障信号１３１−１の入力後、この信号１３１−１が消滅（接点オフ）し、次に別の故障信号１３１−ｎが入力されたとしても、この間に表示復帰釦ＬＯが押されていない限り、故障入力信号を保持するリレ−Ｘが自己保持状態にあり、この新たな故障に対する警報は出力されない。即ち、図１３の回路では、最初に発生した故障に対しては警報・表示を行うことができるが、最初の故障が復旧する前に、他の故障が発生した場合は警報・表示を行うことができないため、独立した警報・表示が必要な区分毎の故障入力に対しては夫々独立にアナンシェ−タリレ−を設けなければならず、故障警報・表示回路がコスト高になるという問題があった。
【０００５】
当該複数の警報入力に応じて警報報知を行う警報装置にあっては、従来、出力回路に短絡が起こった時には、その出力回路が短絡した影響が他の回路にも波及して警報装置全体が機能しなくなるような場合もあった。
【０００６】
当該警報装置の組立に際しては、従来、制御基板に半導体回路装置等を搭載した警報ユニットを、ボックス内にネジ等で取付けていたが、取付が厄介で、時間も要するものであった。又、当該制御基板の表面は裸であったりしていたので、危険でもあり、故障の一因にもなっていた。
【発明の開示】
【発明が解決しようとする課題】
【０００７】
本発明は、上記従来技術の有する欠点を解消することの出来る技術を提供することを目的としたものである。
本発明の他の目的や新規な特徴については本件明細書及び図面の記載からも明らかになるであろう。
【課題を解決するための手段】
【０００８】
本発明の特許請求の範囲は、次の通りである。
（請求項１）  第一警報、第二警報等複数の警報入力手段と、当該個々の第一警報、第二警報等複数の警報入力に応じて各々独立して警報出力する出力手段と、当該警報の出力に際して警報を鳴動させる継続時間を設定可能な警報鳴動継続時間設定手段と、前記警報出力のブザ−及び状態表示をフリッカ動作させることのできるフリッカ手段と、前記複数の警報入力に応じて各々独立して警報出力する１回路毎に当該ブザ−と状態表示とを切替えることのできる切替手段と、警報入力により前記ブザ−及び状態表示により警報出力している際中に、別の新たな警報が入力されてきたときに、当該別の新たな当該ブザ−及び状態表示よりなる警報をも一括して出力可能とする一括警報出力手段とを備えてなることを特徴とする警報装置ユニット。
（請求項２）  警報鳴動継続時間設定手段が、ディップスイッチの操作により行われるようになっていることを特徴とする、請求項１に記載された警報装置ユニット。
（請求項３）  警報出力する１回路毎にブザ−と状態表示とを切替えることのできる切替手段が、ディップスイッチの操作により行われるようになっていることを特徴とする、請求項１又は２に記載された警報装置ユニット。
（請求項４）  請求項１に記載された警報装置ユニットと、当該警報装置ユニットの警報装置への取付け手段であるレ−ル部と、当該警報装置ユニットを作動させるバッテリ−ユニットと、状態表示部と、ブザ−部と、操作スイッチ部とを備えてなり、当該警報装置ユニットは前記レ−ル部に取付けできるように取付部を有してなることを特徴とする警報装置。
（請求項５）  警報装置ユニットは、保護カバ−を備えてなることを特徴とする、請求項４に記載された警報装置。
【発明の効果】
【０００９】
本発明によれば、その警報装置ユニットは、警報の出力に際して警報を鳴動させる継続時間を設定可能な警報鳴動継続時間設定手段が設けられており、例えば、当該警報鳴動継続時間設定手段を構成するディップスイッチを操作することにより、例えば、１０分、３０秒及び１０秒のように、その警報をどの位の時間鳴動させるかを予め設定（調節）しておけるので、長時間に渡って鳴動して近隣に迷惑を掛けたりすることがないし、適宜時間継続してブザ−が鳴動するので、故障を見逃してしまったりすることがなく、又、当該継続時間の種類により、故障の種類を判別することもできる。
本発明によれば、その警報装置ユニットは、第一警報、第二警報等複数の警報入力手段とそれら出力手段との回路が１回路毎に独立しており、当該個々の第一警報、第二警報等複数の警報入力に応じて各々独立して警報出力することができる。例えば光表示灯による状態表示が、個々の第一警報、第二警報等複数の警報入力に応じて各々独立して表示出力される。
本発明によれば、その警報装置ユニットは、警報出力のブザ−及び状態表示をフリッカ動作させることのできるパソコン操作によるフリッカ手段を備えているので、状態表示が例えば点滅点灯のフリッカ動作をすると共に、ブザ−もフリッカ動作によりフリッカ鳴動することができる。
本発明によれば、その警報装置ユニットは、最初の警報入力によりブザ−及び状態表示の警報出力をしている際中に、別の新たな警報が入力されてきたときに、従来のアナンシェ−タリレ−では、最初の故障が復旧する前に、他の故障が発生した場合は警報・表示を行うことができなかったが、本発明の警報装置ユニットによれば、その警報装置ユニットは、第一警報、第二警報等複数の警報入力手段とそれら出力手段との回路が１回路毎に独立しており、当該個々の第一警報、第二警報等複数の警報入力に応じて各々独立して警報出力することができ、最初の警報入力によりブザ−及び状態表示により警報出力している際中に、別の新たな警報が入力されてきても、当該最初の警報を保持しつつ別の新たな当該ブザ−及び状態表示よりなる警報をも一括して出力可能とする一括警報出力手段を備えてなり、当該一括警報出力は、パソコン操作に依るので、従来のアナンシェ−タリレ−のように、その有接点のリレ−が自己保持状態にあって、新たな故障に対する警報が出力されないということを回避できる。
本発明によれば、その警報装置ユニットは、複数の警報入力に応じて各々独立して警報出力する１回路毎に当該ブザ−と状態表示とを切替えることのできる切替手段、例えば、前記したディップスイッチの操作により行われるようになっているので、当該ディップスイッチの操作により、各回路について警報保持から状態表示への切替が可能である。
本発明によれば、その警報装置ユニットは、上記のように、１回路毎に独立し、各々警報入力がされ、ブザ−及び状態表示の警報出力がなされるので、従来例の複数の警報入力に応じて警報報知を行う警報装置にあっては、出力回路に短絡が起こった時には、その出力回路が短絡した影響が他の回路にも波及して警報装置全体が機能しなくなるような場合があったが、本発明では、これを回避できる。
【発明を実施するための最良の形態】
【００１０】
図１に、本発明の警報装置ユニットのブロックダイアグラム図を示す。
当該警報装置ユニット１は、その一例として、４回路で構成された例を示す。
第一警報、第二警報、第三警報及び第四警報からなる複数の警報入力が、それぞれ入力部（ＴＢ１）１００に入力されるようになっている。入力部１００は、例えば、圧着端子の接続端子で構成され、例えば、プラント制御・監視の分野で、複数の故障が発生した場合に、複数のそれぞれに応じた警報ブザ−を発すると共に、異常状態を表示して故障警報を行うような場合に、各検知部（センサ部）と接続される。
当該入力部（ＴＢ１）１００には、ブザ−停止入力信号が入力されるようになっていて、後述のように、当該警報装置ユニット１を内蔵した警報装置の外部のブザ−停止釦を押すことにより、当該ブザ−停止入力信号が当該入力部（ＴＢ１）１００に入力されて、必要に応じてブザ−の鳴動を停止できる。
当該入力部（ＴＢ１）１００には、警報停止（状態表示停止）入力信号も入力されるようになっていて、上記のブザ−停止釦と同様に、当該警報装置ユニットを内蔵した警報装置の外部の当該警報停止釦を押すことにより、当該警報停止入力信号が当該入力部（ＴＢ１）１００に入力されて、必要に応じて状態表示を停止できる。
当該入力部（ＴＢ１）１００には、ランプテスト入力信号が入力されるようになっていて、当該状態表示が適切に行われるか否かのテストをなし得る。
【００１１】
ディップスイッチ（ＤＩＰ  ｓｗｉｔｃｈ、ＤＳ１）１０１は、警報の出力に際して警報を鳴動させる継続時間を設定可能な警報鳴動継続時間設定手段として使用することができる。
当該ディップスイッチ（ＤＳ１）１０１を操作することにより、例えば、１０分、３０秒及び１０秒のように、その警報をどの位の時間鳴動させるかを予め設定（調節）しておける。
当該ディップスイッチ（ＤＳ１）１０１は、スィッチの形状として、そのスィッチを押し下げる形のロッカ−形や左右にスライドさせるスライディング形等により構成され、ペン先などでオン・オフの切替が可能である。
当該ディップスイッチ（ＤＳ１）１０１は、制御基板（ＣＰＵ）に実装することもできる。
当該警報鳴動継続時間設定手段として、ジャンパスイッチ等も使用することができる。
当該ディップスイッチ（ＤＳ１）１０１により、警報をどの位の時間鳴動させるかを予め設定（調節）しておけるので、長時間に渡って鳴動して近隣に迷惑を掛けたりすることがないし、適宜時間継続してブザ−が鳴動するので、故障を見逃してしまったりすることがなく、又、当該継続時間の種類により、故障の種類を判別することもできる。
【００１２】
ディップスイッチ（ＤＳ２）１０２は、第一警報、第二警報、第三警報及び第四警報からなる複数の警報について、それらの各々の第一警報、第二警報、第三警報及び第四警報を、警報ブザ−を鳴動させるか状態表示にさせるかの切り替えできるようになっている。
【００１３】
当該警報装置ユニット１のＣＰＵ（中央演算処理装置）１０３には、上記した第一警報、第二警報、第三警報及び第四警報からなる複数の警報入力が、それぞれ入力部（ＴＢ１）１００を介して入力され、又、ディップスイッチ（ＤＳ１）１０１からは、設定された警報の出力に際しての警報を鳴動させる継続時間が入力され、更に、ディップスイッチ（ＤＳ２）１０２からは、第一警報、第二警報、第三警報及び第四警報からなる複数の警報の各々について、その選択に応じて第一警報、第二警報、第三警報及び第四警報を、警報ブザ−を鳴動させるか状態表示にさせるかを切替信号が入力される。
【００１４】
当該警報装置ユニット１には、フリッカ回路１０４を備える。当該フリッカ回路については、前記では、有接点のアナンシェ−タリレ−を用い、当該リレ−の付勢保持でフリッカリレ−ＦＬについてその接点ＦＬａを所定周期で断続させてフリッカ動作を起こさせるようにしていたが、本発明では、当該ＣＰＵ（中央演算処理装置）１０３で当該フリッカ動作を起こさせるようにしており、当該フリッカ回路１０４をリレ−によらずに、フリップ、フロップのロジック回路により構成する。図示では、当該フリッカ回路１０４をＣＰＵ（中央演算処理装置）１０３とは別個にしているが、当該フリッカ回路１０４をＣＰＵ（中央演算処理装置）１０３に内蔵させてもよい。本発明では、当該有接点のアナンシェ−タリレ−を用いず、パソコン操作でフリップ動作を起こさせるようにし、又、各警報回路を独立させて構成しているので、警報ユニットを当該有接点のアナンシェ−タリレ−を用いた場合よりも安価に構成できる。又、従来のアナンシェ−タリレ−のように、その有接点のリレ−が自己保持状態にあって、新たな故障に対する警報が出力されないということを回避できる。
【００１５】
本発明の警報装置ユニット１では、例えば４回路で構成された第一警報、第二警報、第三警報及び第四警報からなる複数の警報入力がそれぞれ入力部（ＴＢ１）１００に入力され、ＣＰＵ（中央演算処理装置）１０３を経由して、出力部（ＴＢ２）１０５から第一警報、第二警報、第三警報及び第四警報からなる複数の警報入力がそれぞれ独立して出力される。出力部（ＴＢ２）１０５からは、一括警報信号も出力され、又、ブザ−信号が出力される。
【００１６】
図２は、当該警報装置ユニットの結線図であり、又、図３は、同内部結線図である。
図２及び図３に示すように、制御基板Ｃの警報接点１のＰ１−Ｓ１、Ｐ４−Ｓ４、警報接点２のＰ２−Ｓ２、Ｐ４−Ｓ４、警報接点３のＰ３−Ｓ３、Ｐ４−Ｓ４及び警報接点４のＰ４−Ｓ４、Ｐ４−Ｓ４は、それぞれａ接点で構成されている。一括警報端子のＡ１−Ａ２からは、警報が重複したときの一括警報が出力される。警報ランプＬ１、警報ランプＬ２、警報ランプＬ３及び警報ランプＬ４は、第一警報、第二警報、第三警報及び第四警報からなる複数の警報の各々に対応して状態表示を行う。制御基板には、警報ブザ−ＢＺが電気的に接続され、又、そのブザ−停止（ＰＢ）釦ＲＳＴが電気的に接続されている。更に、制御基板Ｃには、警報リセット（Ｒ）釦ＲＳＴが電気的に接続されている。
【００１７】
図４の当該警報装置ユニットのタイムチャ−ト図に基づいて動作を説明する。
単独警報例えば警報接点１のＰ１−Ｓ１から入力１があると、当該ａ接点入力に対応して、前記の図１に示すように、ＣＰＵ（中央演算処理装置）１０３の制御により、表示１Ｌ１の有電圧信号がフリッカ出力する。図示のように、当該表示の点滅点灯と共に、ブザ−ＢＺもフリッカ鳴動する。ブザ−停止（ＢＺ停止）により、ブザ−が停止し、当該表示１Ｌ１の表示が、点滅点灯から連続点灯（全灯）になる。フリッカ動作は、表示、ブザ−共同時動作で例えば０．５秒サイクルである。Ｐ１−Ｓ１が表示１Ｌ１に対応しているように、他、Ｐ１−Ｓ２が表示２Ｌ２に、Ｐ３−Ｓ３が表示３Ｌ３に、Ｐ４−Ｓ４が表示４Ｌ４にそれぞれ対応している。従って、図示が省略されているが、Ｐ１−Ｓ１からの入力と同様に作用する。
重複警報の場合、最初の警報入力例えば入力３が有ったときには、図示のように、表示３が点滅点灯する。前記の図１に示すように、ＣＰＵ（中央演算処理装置）１０３の制御により、当該表示３の点滅点灯と共に、ブザ−ＢＺもフリッカ鳴動する。ブザ−停止（ＢＺ停止）により、ブザ−が停止し、当該表示３Ｌ３の表示が、点滅点灯から連続点灯（全灯）になっているときに、別の新たな警報が入力４されてきたときに、当該入力４に応じた表示４Ｌ４が点滅点灯する。ブザ−ＢＺも、表示４Ｌ４の点滅点灯と共に、フリッカ鳴動する。ブザ−停止（ＢＺ停止）により、表示４Ｌ４は、点滅点灯から連続点灯に変わる。ブザ−停止（ＢＺ停止）により、ブザ−は少し鳴動して停止する。
Ａ１−Ａ２端子からは、当該入力３及び入力４が一括警報される。
【００１８】
図５の当該警報装置ユニットのタイムチャ−ト図に基づいて警報停止、不使用の場合の動作を説明する。
前記図４の単独警報例えば警報接点１のＰ１−Ｓ１から入力１があり、当該ａ接点入力に対応して、前記の図１に示すように、ＣＰＵ（中央演算処理装置）１０３の制御により、表示１Ｌ１の有電圧信号がフリッカ出力して当該表示の点滅点灯し、それと共に、ブザ−ＢＺもフリッカ鳴動する。ブザ−停止（ＢＺ停止）により、ブザ−が停止し、当該表示１Ｌ１の表示が、点滅点灯から連続点灯（全灯）になっていて、警報停止Ｒし、不使用としたときに、図５に示すように、入力３が警報接点３のＰ３−Ｓ３から入力されてきたときには、当該入力３に応じた表示３Ｌ３が点滅点灯し、ブザ−ＢＺも、当該表示３の点滅点灯と共に、フリッカ鳴動する。ブザ−停止（ＢＺ停止）により、表示３Ｌ３は、点滅点灯から連続点灯に変わる。その後、新たな入力４があった時には、その他、図４の重複警報の場合と同様に動作する。又、再び、警報停止Ｒを掛けたときにも、前記したように、各入力１，２，３，４に応じて表示１，２，３，４がなされる。
【００１９】
本発明の警報装置ユニットにおける警報の出力に際しての警報の鳴動の継続時間の設定について、図６のフロチャ−ト図に基づいて更に説明する。
警報入力があると（Ｓ１）、ディップスイッチの操作により、例えば、１０分、３０秒及び１０秒のように、警報をどの位の時間鳴動させるかを予め設定（調節）されているか否かを判定し（Ｓ２）、当該設定（調節）されているときには、その設定された警報鳴動継続時間が、ＣＰＵ（中央演算処理装置）の記憶装置に記録され（Ｓ３）、タイマ−と設定時間との演算処理により（Ｓ４）、設定時間になったときには、警報ブザ−の鳴動を停止する（Ｓ５）。
前記の設定が無いときには、その警報ブザ−の鳴動を保持し（Ｓ６）、ブザ−停止や警報停止Ｒがあったときには、警報ブザ−の鳴動を停止する（Ｓ７）。
【００２０】
図７、図８、図９、図１０及び図１１に基づいて本発明の警報装置ユニットの機械的な構成を説明する。
本発明の警報装置ユニット１は、制御基板Ｃとその下部の当該警報装置ユニット１を警報装置２のレ−ル部２００に取付けできるように取付部１０６とを備えてなる。当該取付部１０６は、例えば、図示のように、ネジ１０７により、当該制御基板Ｃの底部に付設される。
当該取付部１０６には、当該警報装置２のレ−ル部２００に取付けできるように、２箇所に切欠部１０６０を有し、図１０に示すように、当該左右の切欠部１０６０を当該レ−ル部２００に嵌合して、当該レ−ル部２００上を移送して、当該当該警報装置ユニット１を警報装置２のレ−ル部２００に取付けする。当該警報装置ユニット１を警報装置２の内部に取付けする場合、従来は、ネジ締めを行っていたが、取付が厄介で、時間も要するものであったが、本発明に依れば、簡単に短時間で当該警報装置ユニット１を警報装置２の内部に取付けすることができるようになった。
【００２１】
当該警報装置ユニット１を構成する制御基板Ｃは、前記ディップスイッチ（ＤＳ１，ＤＳ２）１０１，１０２、ＣＰＵ（中央演算処理装置）１０３、接続端子１０８、１０９等が搭載され、配線の敷設などで半導体回路配置装置を形成している。
【００２２】
当該警報装置ユニット１の取付部１０６を取付けする警報装置２のレ−ル部２００は、例えば、図９、図１０及び図１１に示されるように、断面コ字状に構成され、当該レ−ル部２００の左右の上部突出部２００１に、前記のように、当該警報装置ユニット１の取付部１０６の２箇所の切欠部１０６０を嵌合して、当該レ−ル部２００上を移送すると、簡単に当該当該警報装置ユニット１を警報装置２のレ−ル部２００に取付けすることができるようになっている。
【００２３】
当該警報装置ユニット１には、図７に示すように、保護カバ−１１０を備えてなる。当該警報装置ユニット１における当該制御基板Ｃの表面が、外部にさらされていると、感電等で危険でもあり、当該警報装置ユニット１の故障の一因にもなったりするが、当該保護カバ−１１０により、それらの危険や故障を避けることができる。又、一旦設定した前記ディップスイッチ（ＤＳ１，ＤＳ２）１０１，１０２をいじられて、警報に誤動作を生じないようにすることもできる。保護カバ−１１０は、内部が見えるように透明板で構成するとよい。
【００２４】
本発明の警報装置ユニット１は、図１２に示すように、その取付部１０６を警報装置２に敷設されたレ−ル部２００に前記のように取付けし、当該警報装置ユニット１を作動させるバッテリ−ユニット２０１、警報のブザ−を鳴動させるブザ−部２０２、警報の状他表示を例えば光の点滅点灯で表示する状態表示部２０３及び操作スイッチ部２０４を備設することにより、当該警報装置２を構成することができる。
当該警報装置の操作スイッチ部２０４は、スイッチング機能を有するものであればよく、押釦などでも構成することができる。当該状態表示部２０３は、例えば、光表示灯などで構成される。
図１２に示すように、当該状態表示部２０３に加えて、前記一括警報の集合表示部２０５を備えさせてもよい。
【産業上の利用可能性】
【００２５】
本発明は、複数の警報入力に応じて警報報知を行う場合の各種用途に用いることが出来るが、プラント制御・監視の分野で、複数の故障が発生した場合に、警報を発すると共に、異常状態を表示して故障警報を行うようなに有用である。
【図面の簡単な説明】
【００２６】
【図１】本発明の実施例を示す警報装置ユニットのブロックダイアグラム図である。
【図２】本発明の実施例を示す警報装置ユニットの結線図である。
【図３】本発明の実施例を示す警報装置ユニットの内部結線図である。
【図４】本発明の実施例を示す警報装置ユニットのタイムチャ−ト図である。
【図５】本発明の他の実施例を示す警報装置ユニットのタイムチャ−ト図である。
【図６】本発明の実施例を示す警報装置ユニットのフロチャ−ト図である。
【図７】本発明の実施例を示す警報装置ユニットの側面図である。
【図８】本発明の実施例を示す警報装置ユニットの立体構成図である。
【図９】本発明の実施例を示す警報装置ユニット及びレ−ル部の断面図である。
【図１０】本発明の実施例を示す警報装置ユニットを警報装置のレ−ル部へ取付後の断面図である。
【図１１】本発明の実施例を示すレ−ル部の構成図である。
【図１２】本発明の実施例を示す警報装置の構成図である。
【図１３】従来例の有接点のアナンシェ−タリレ−を用いた警報装置の構成図である。
【図１４】従来例の有接点のアナンシェ−タリレ−を用いた警報装置の動作説明用のタイムチャ−ト図である。
【符号の説明】
【００２７】
１    警報ユニット
２    警報装置
１０１    ディップスイッチ
１０２    ディップスイッチ
１０６    取付部
１０６    取付部
１１０    保護カバ−
２    警報装置
２００    レ−ル部
２０１    バッテリ−ユニット部
２０２    ブザ−部
２０３    表示部
２０４    スイッチ部
Ｃ    制御基板
【図１】
2010267125.tif 000003
【図２】
2010267125.tif 000004
【図３】
2010267125.tif 000005
【図４】
2010267125.tif 000006
【図５】
2010267125.tif 000007
【図６】
2010267125.tif 000008
【図７】
2010267125.tif 000009
【図８】
2010267125.tif 000010
【図９】
2010267125.tif 000011
【図１０】
2010267125.tif 000012
【図１１】
2010267125.tif 000013
【図１２】
2010267125.tif 000014
【図１３】
2010267125.tif 000015
【図１４】
2010267125.tif 000016